【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
マルチレイヤビデオデータの搬送のためのMPEG-2トランスポートストリームを処理する方法であって、
1つまたは複数のエレメンタリストリームを備えるプログラムのための第1の記述子から、複数のプロファイル、ティア、レベル(PTL)シンタックス要素セットを取得するステップであって、前記複数のPTLシンタックス要素セットの各それぞれのPTLシンタックス要素セットが、それぞれのPTL情報を指定するシンタックス要素を備える、ステップと、
前記第1の記述子または前記プログラムのための第2の記述子から、複数の動作点シンタックス要素セットを取得するステップであって、前記第1の記述子および前記第2の記述子が前記MPEG-2トランスポートストリームのプログラムマップテーブルにあり、前記複数の動作点シンタックス要素セットの各それぞれの動作点シンタックス要素セットが複数の動作点のそれぞれの動作点を指定する、ステップと、
前記複数の動作点シンタックス要素セットの各それぞれの動作点シンタックス要素セットについて、前記それぞれの動作点シンタックス要素セットによって指定された前記それぞれの動作点の各それぞれのレイヤに関して、前記それぞれのレイヤに関するそれぞれのシンタックス要素に基づいて、前記PTLシンタックス要素セットのうちのどれが、前記それぞれの動作点の前記それぞれのレイヤに割り当てられた前記PTL情報を指定するかを判断するステップであって、前記それぞれのシンタックス要素が前記それぞれの動作点シンタックス要素セットにあり、前記それぞれの動作点が複数のレイヤを有する、ステップと
を備える方法。
【請求項２】
前記複数のPTLシンタックス要素セットの各それぞれのPTLシンタックス要素セットについて、
前記それぞれのPTLシンタックス要素セットにおけるそれぞれのプロファイルシンタックス要素に基づいて、コード化ビデオシーケンスが適合するプロファイルを決定するステップと、
前記それぞれのPTLシンタックス要素セットにおけるそれぞれのティアシンタックス要素に基づいて、前記それぞれのPTLシンタックス要素セットにおけるそれぞれのレベルインジケータシンタックス要素の解釈のためのコンテキストを決定するステップと、
前記それぞれのPTLシンタックス要素セットにおける前記それぞれのレベルインジケータシンタックス要素に基づいて、前記コード化ビデオシーケンスが適合するレベルを決定するステップと
をさらに備える、請求項1に記載の方法。
【請求項３】
前記プログラムのための前記第1の記述子の中のシンタックス要素に基づいて、前記複数のPTLシンタックス要素セットにおけるPTLシンタックス要素セットの数を決定するステップ
をさらに備える、請求項1に記載の方法。
【請求項４】
前記第1の記述子または前記第2の記述子の中のシンタックス要素に基づいて、前記複数の動作点シンタックス要素セットにおける動作点シンタックス要素セットの数を決定するステップ
をさらに備える、請求項1に記載の方法。
【請求項５】
前記複数の動作点シンタックス要素セットを取得するステップは、
前記複数の動作点シンタックス要素セットの各それぞれの動作点シンタックス要素セットについて、前記第1の記述子または前記第2の記述子の中のシンタックス要素に基づいて、前記それぞれの動作点シンタックス要素セットによって指定された前記それぞれの動作点のレイヤの数を決定するステップ
を備える、請求項1に記載の方法。
【請求項６】
前記複数の動作点シンタックス要素セットの各それぞれの動作点シンタックス要素セットについて、
前記それぞれの動作点シンタックス要素セットにおけるそれぞれの第1のシンタックス要素に基づいて、前記それぞれの動作点シンタックス要素セットによって指定された前記それぞれの動作点の最大時間識別子を決定するステップと、
前記それぞれの動作点シンタックス要素セットにおけるそれぞれの第2のシンタックス要素に基づいて、前記それぞれの動作点シンタックス要素セットによって指定された前記それぞれの動作点の平均ビットレートを決定するステップと、
前記それぞれの動作点シンタックス要素セットにおけるそれぞれの第3のシンタックス要素に基づいて、前記それぞれの動作点シンタックス要素セットによって指定された前記それぞれの動作点の最大ビットレートを決定するステップと、
前記それぞれの動作点シンタックス要素セットにおけるそれぞれの第4のシンタックス要素に基づいて、前記それぞれの動作点シンタックス要素セットによって指定された前記それぞれの動作点に対応する高効率ビデオコーディング(HEVC)レイヤードビデオストリームの最大ピクチャレートを決定するステップと
をさらに備える、請求項1に記載の方法。
【請求項７】
マルチレイヤビデオデータの搬送のためのMPEG-2トランスポートストリームを処理する方法であって、
1つまたは複数のエレメンタリストリームを備えるプログラムのための第1の記述子において、複数のプロファイル、ティア、レベル(PTL)シンタックス要素セットをシグナリングするステップであって、前記複数のPTLシンタックス要素セットの各それぞれのPTLシンタックス要素セットが、それぞれのPTL情報を指定するシンタックス要素を備える、ステップと、
前記第1の記述子または前記プログラムのための第2の記述子において、複数の動作点シンタックス要素セットをシグナリングするステップであって、
前記第1の記述子および前記第2の記述子が前記MPEG-2トランスポートストリームのプログラムマップテーブルにあり、
前記複数の動作点シンタックス要素セットの各それぞれの動作点シンタックス要素セットが前記複数の動作点のそれぞれの動作点を指定し、
前記それぞれの動作点の各それぞれのレイヤについて、前記それぞれの動作点シンタックス要素セットが、前記それぞれの動作点の前記それぞれのレイヤに割り当てられたPTL情報を指定する前記複数のPTLシンタックス要素セットのそれぞれのPTLシンタックス要素セットを識別するそれぞれのシンタックス要素を含み、前記それぞれの動作点が複数のレイヤを有する、ステップと
を備える方法。
【請求項８】
前記複数のPTLシンタックス要素セットをシグナリングするステップは、
前記複数のPTLシンタックス要素セットの各それぞれのPTLシンタックス要素セットについて、
前記それぞれのPTLシンタックス要素セットにおいて、コード化ビデオシーケンスが適合するプロファイルを指定するそれぞれのプロファイルシンタックス要素をシグナリングするステップと、
前記それぞれのPTLシンタックス要素セットにおいて、それぞれのティアシンタックス要素をシグナリングするステップであって、前記それぞれのティアシンタックス要素が、前記それぞれのPTLシンタックス要素セットにおけるそれぞれのレベルインジケータシンタックス要素の解釈のためのコンテキストを指定する、ステップと、
前記それぞれのPTLシンタックス要素セットにおいて、前記それぞれのレベルインジケータシンタックス要素をシグナリングするステップであって、前記それぞれのレベルインジケータシンタックス要素が、前記コード化ビデオシーケンスが適合するレベルを示す、ステップと
を備える、請求項7に記載の方法。
【請求項９】
前記プログラムのための前記第1の記述子において、前記複数のPTLシンタックス要素セットにおけるPTLシンタックス要素セットの数を示すシンタックス要素をシグナリングするステップ
をさらに備える、請求項7に記載の方法。
【請求項１０】
前記第1の記述子または前記第2の記述子において、前記複数の動作点シンタックス要素セットにおける動作点シンタックス要素セットの数を示すシンタックス要素をシグナリングするステップ
をさらに備える、請求項7に記載の方法。
【請求項１１】
前記複数の動作点シンタックス要素セットをシグナリングするステップは、
前記複数の動作点シンタックス要素セットの各それぞれの動作点シンタックス要素セットについて、前記それぞれの動作点シンタックス要素セットによって指定された前記それぞれの動作点のレイヤの数をシグナリングするステップ
を備える、請求項7に記載の方法。
【請求項１２】
前記複数の動作点シンタックス要素セットをシグナリングするステップは、
前記複数の動作点シンタックス要素セットの各それぞれの動作点シンタックス要素セットについて、
前記それぞれの動作点シンタックス要素セットによって指定された前記それぞれの動作点の最大時間識別子を指定するそれぞれの第1のシンタックス要素をシグナリングするステップと、
前記それぞれの動作点シンタックス要素セットによって指定された前記それぞれの動作点の平均ビットレートを指定するそれぞれの第2のシンタックス要素をシグナリングするステップと、
前記それぞれの動作点シンタックス要素セットによって指定された前記それぞれの動作点の最大ビットレートを指定するそれぞれの第3のシンタックス要素をシグナリングするステップと、
前記それぞれの動作点シンタックス要素セットによって指定された前記それぞれの動作点に対応する高効率ビデオコーディング(HEVC)レイヤードビデオストリームの最大ピクチャレートを指定するそれぞれの第4のシンタックス要素をシグナリングするステップと
を備える、請求項7に記載の方法。
【請求項１３】
マルチレイヤビデオデータの搬送のためのMPEG-2トランスポートストリームを処理するためのデバイスであって、
符号化ビデオデータを記憶するように構成されたデータ記憶媒体と、
1つまたは複数のプロセッサと
を備え、前記1つまたは複数のプロセッサは、
前記符号化ビデオデータを備える1つまたは複数のエレメンタリストリームを備えるプログラムのための第1の記述子から、複数のプロファイル、ティア、レベル(PTL)シンタックス要素セットを取得することであって、前記複数のPTLシンタックス要素セットの各それぞれのPTLシンタックス要素セットが、それぞれのPTL情報を指定するシンタックス要素を備える、取得することと、
前記第1の記述子または前記プログラムのための第2の記述子から、複数の動作点シンタックス要素セットを取得することであって、前記第1の記述子および前記第2の記述子が前記MPEG-2トランスポートストリームのプログラムマップテーブルにあり、前記複数の動作点シンタックス要素セットの各それぞれの動作点シンタックス要素セットが複数の動作点のそれぞれの動作点を指定する、取得することと、
前記複数の動作点シンタックス要素セットの各それぞれの動作点シンタックス要素セットについて、前記それぞれの動作点シンタックス要素セットによって指定された前記それぞれの動作点の各それぞれのレイヤに関して、前記それぞれのレイヤに関するそれぞれのシンタックス要素に基づいて、前記PTLシンタックス要素セットのうちのどれが、前記それぞれの動作点の前記それぞれのレイヤに割り当てられた前記PTL情報を指定するかを判断することであって、前記それぞれのシンタックス要素が前記それぞれの動作点シンタックス要素セットにあり、前記それぞれの動作点が複数のレイヤを有する、判断することと
を行うように構成される、デバイス。
【請求項１４】
前記1つまたは複数のプロセッサは、
前記複数のPTLシンタックス要素セットの各それぞれのPTLシンタックス要素セットについて、
前記それぞれのPTLシンタックス要素セットにおけるそれぞれのプロファイルシンタックス要素に基づいて、コード化ビデオシーケンスが適合するプロファイルを決定することと、
前記それぞれのPTLシンタックス要素セットにおけるそれぞれのティアシンタックス要素に基づいて、前記それぞれのPTLシンタックス要素セットにおけるそれぞれのレベルインジケータシンタックス要素の解釈のためのコンテキストを決定することと、
前記それぞれのPTLシンタックス要素セットにおける前記それぞれのレベルインジケータシンタックス要素に基づいて、前記コード化ビデオシーケンスが適合するレベルを決定することと
を行うように構成される、請求項13に記載のデバイス。
【請求項１５】
前記1つまたは複数のプロセッサは、
前記プログラムのための前記第1の記述子の中のシンタックス要素に基づいて、前記複数のPTLシンタックス要素セットにおけるPTLシンタックス要素セットの数を決定する
ように構成される、請求項13に記載のデバイス。
【請求項１６】
前記1つまたは複数のプロセッサは、
前記第1の記述子または前記第2の記述子の中のシンタックス要素に基づいて、前記複数の動作点シンタックス要素セットにおける動作点シンタックス要素セットの数を決定する
ように構成される、請求項13に記載のデバイス。
【請求項１７】
前記1つまたは複数のプロセッサは、前記複数の動作点シンタックス要素セットをシグナリングすることの一部として、前記1つまたは複数のプロセッサが、
前記複数の動作点シンタックス要素セットの各それぞれの動作点シンタックス要素セットについて、前記それぞれの動作点シンタックス要素セットによって指定された前記それぞれの動作点のレイヤの数をシグナリングする
ように構成される、請求項13に記載のデバイス。
【請求項１８】
前記1つまたは複数のプロセッサは、
前記複数の動作点シンタックス要素セットの各それぞれの動作点シンタックス要素セットについて、
前記それぞれの動作点シンタックス要素セットにおけるそれぞれの第1のシンタックス要素に基づいて、前記それぞれの動作点シンタックス要素セットによって指定された前記それぞれの動作点の最大時間識別子を決定することと、
前記それぞれの動作点シンタックス要素セットにおけるそれぞれの第2のシンタックス要素に基づいて、前記それぞれの動作点シンタックス要素セットによって指定された前記それぞれの動作点の平均ビットレートを決定することと、
前記それぞれの動作点シンタックス要素セットにおけるそれぞれの第3のシンタックス要素に基づいて、前記それぞれの動作点シンタックス要素セットによって指定された前記それぞれの動作点の最大ビットレートを決定することと、
前記それぞれの動作点シンタックス要素セットにおけるそれぞれの第4のシンタックス要素に基づいて、前記それぞれの動作点シンタックス要素セットによって指定された前記それぞれの動作点に対応する高効率ビデオコーディング(HEVC)レイヤードビデオストリームの最大ピクチャレートを決定することと
を行うように構成される、請求項13に記載のデバイス。
【請求項１９】
前記符号化ビデオデータを復号するように構成されたビデオデコーダを備える集積回路、
前記符号化ビデオデータを復号するように構成されたビデオデコーダを備えるマイクロプロセッサ、または
前記符号化ビデオデータを使用してピクチャを復号するように構成されたビデオデコーダおよび前記復号されたピクチャを表示するように構成されたディスプレイを備えるワイヤレスハンドセット
のうちの少なくとも1つを備える、請求項13に記載のデバイス。
【請求項２０】
前記1つまたは複数のプロセッサは、前記符号化ビデオデータを復号するように構成され、前記デバイスは、前記復号したビデオデータを表示するように構成されたディスプレイをさらに備える、請求項13に記載のデバイス。
【請求項２１】
マルチレイヤビデオデータの搬送のためのMPEG-2トランスポートストリームを処理するためのデバイスであって、
符号化ビデオデータを記憶するように構成されたデータ記憶媒体と、
1つまたは複数のプロセッサと
を備え、前記1つまたは複数のプロセッサは、
前記符号化ビデオデータを備える1つまたは複数のエレメンタリストリームを備えるプログラムのための第1の記述子において、複数のプロファイル、ティア、レベル(PTL)シンタックス要素セットをシグナリングすることであって、前記複数のPTLシンタックス要素セットの各それぞれのPTLシンタックス要素セットが、それぞれのPTL情報を指定するシンタックス要素を備える、シグナリングすることと、
前記第1の記述子または前記プログラムのための第2の記述子において、複数の動作点シンタックス要素セットをシグナリングすることであって、
前記第1の記述子および前記第2の記述子が前記MPEG-2トランスポートストリームのプログラムマップテーブルにあり、
前記複数の動作点シンタックス要素セットの各それぞれの動作点シンタックス要素セットが前記複数の動作点のそれぞれの動作点を指定し、
前記それぞれの動作点の各それぞれのレイヤについて、前記それぞれの動作点シンタックス要素セットが、前記それぞれの動作点の前記それぞれのレイヤに割り当てられたPTL情報を指定する前記複数のPTLシンタックス要素セットのそれぞれのPTLシンタックス要素セットを識別するそれぞれのシンタックス要素を含み、前記それぞれの動作点が複数のレイヤを有する、シグナリングすることと
を行うように構成される、デバイス。
【請求項２２】
前記1つまたは複数のプロセッサは、前記複数のPTLシンタックス要素セットをシグナリングすることの一部として、前記1つまたは複数のプロセッサが、
前記複数のPTLシンタックス要素セットの各それぞれのPTLシンタックス要素セットについて、
前記それぞれのPTLシンタックス要素セットにおいて、コード化ビデオシーケンスが適合するプロファイルを指定するそれぞれのプロファイルシンタックス要素をシグナリングすることと、
前記それぞれのPTLシンタックス要素セットにおいて、それぞれのティアシンタックス要素をシグナリングすることであって、前記それぞれのティアシンタックス要素が、前記それぞれのPTLシンタックス要素セットにおけるそれぞれのレベルインジケータシンタックス要素の解釈のためのコンテキストを指定する、シグナリングすることと、
前記それぞれのPTLシンタックス要素セットにおいて、前記それぞれのレベルインジケータシンタックス要素をシグナリングすることであって、前記それぞれのレベルインジケータシンタックス要素が、前記コード化ビデオシーケンスが適合するレベルを示す、シグナリングすることと
を行うように構成される、請求項21に記載のデバイス。
【請求項２３】
前記1つまたは複数のプロセッサは、
前記プログラムのための前記第1の記述子において、前記複数のPTLシンタックス要素セットにおけるPTLシンタックス要素セットの数を示すシンタックス要素をシグナリングする
ように構成される、請求項21に記載のデバイス。
【請求項２４】
前記1つまたは複数のプロセッサは、
前記第1の記述子または前記第2の記述子において、前記複数の動作点シンタックス要素セットにおける動作点シンタックス要素セットの数を示すシンタックス要素をシグナリングする
ように構成される、請求項21に記載のデバイス。
【請求項２５】
前記1つまたは複数のプロセッサは、前記複数の動作点シンタックス要素セットをシグナリングすることの一部として、前記1つまたは複数のプロセッサが、
前記複数の動作点シンタックス要素セットの各それぞれの動作点シンタックス要素セットについて、前記それぞれの動作点シンタックス要素セットによって指定された前記それぞれの動作点のレイヤの数をシグナリングする
ように構成される、請求項21に記載のデバイス。
【請求項２６】
前記1つまたは複数のプロセッサは、前記複数の動作点シンタックス要素セットをシグナリングすることの一部として、前記1つまたは複数のプロセッサが、
前記複数の動作点シンタックス要素セットの各それぞれの動作点シンタックス要素セットについて、
前記それぞれの動作点シンタックス要素セットによって指定された前記それぞれの動作点の最大時間識別子を指定するそれぞれの第1のシンタックス要素をシグナリングすることと、
前記それぞれの動作点シンタックス要素セットによって指定された前記それぞれの動作点の平均ビットレートを指定するそれぞれの第2のシンタックス要素をシグナリングすることと、
前記それぞれの動作点シンタックス要素セットによって指定された前記それぞれの動作点の最大ビットレートを指定するそれぞれの第3のシンタックス要素をシグナリングすることと、
前記それぞれの動作点シンタックス要素セットによって指定された前記それぞれの動作点に対応する高効率ビデオコーディング(HEVC)レイヤードビデオストリームの最大ピクチャレートを指定するそれぞれの第4のシンタックス要素をシグナリングすることと
を行うように構成される、請求項21に記載のデバイス。
【請求項２７】
集積回路、
マイクロプロセッサ、または
ワイヤレスハンドセット
のうちの少なくとも1つを備える、請求項21に記載のデバイス。
【請求項２８】
マルチレイヤビデオデータの搬送のためのMPEG-2トランスポートストリームを処理するためのデバイスであって、
1つまたは複数のエレメンタリストリームを備えるプログラムのための第1の記述子から、複数のプロファイル、ティア、レベル(PTL)シンタックス要素セットを取得するための手段であって、前記複数のPTLシンタックス要素セットの各それぞれのPTLシンタックス要素セットが、それぞれのPTL情報を指定するシンタックス要素を備える、手段と、
前記第1の記述子または前記プログラムのための第2の記述子から、複数の動作点シンタックス要素セットを取得するための手段であって、前記第1の記述子および前記第2の記述子が前記MPEG-2トランスポートストリームのプログラムマップテーブルにあり、前記複数の動作点シンタックス要素セットの各それぞれの動作点シンタックス要素セットが複数の動作点のそれぞれの動作点を指定する、手段と、
前記複数の動作点シンタックス要素セットの各それぞれの動作点シンタックス要素セットについて、前記それぞれの動作点シンタックス要素セットによって指定された前記それぞれの動作点の各それぞれのレイヤに関して、前記それぞれのレイヤに関するそれぞれのシンタックス要素に基づいて、前記PTLシンタックス要素セットのうちのどれが、前記それぞれの動作点の前記それぞれのレイヤに割り当てられた前記PTL情報を指定するかを判断するための手段であって、前記それぞれのシンタックス要素が前記それぞれの動作点シンタックス要素セットにあり、前記それぞれの動作点が複数のレイヤを有する、手段と
を備えるデバイス。
【請求項２９】
マルチレイヤビデオデータの搬送のためのMPEG-2トランスポートストリームを処理するためのデバイスであって、
1つまたは複数のエレメンタリストリームを備えるプログラムのための第1の記述子において、複数のプロファイル、ティア、レベル(PTL)シンタックス要素セットをシグナリングするための手段であって、前記複数のPTLシンタックス要素セットの各それぞれのPTLシンタックス要素セットが、それぞれのPTL情報を指定するシンタックス要素を備える、手段と、
前記第1の記述子または前記プログラムのための第2の記述子において、複数の動作点シンタックス要素セットをシグナリングするための手段であって、
前記第1の記述子および前記第2の記述子が前記MPEG-2トランスポートストリームのプログラムマップテーブルにあり、
前記複数の動作点シンタックス要素セットの各それぞれの動作点シンタックス要素セットが前記複数の動作点のそれぞれの動作点を指定し、
前記それぞれの動作点の各それぞれのレイヤについて、前記それぞれの動作点シンタックス要素セットが、前記それぞれの動作点の前記それぞれのレイヤに割り当てられたPTL情報を指定する前記複数のPTLシンタックス要素セットのそれぞれのPTLシンタックス要素セットを識別するそれぞれのシンタックス要素を含み、前記それぞれの動作点が複数のレイヤを有する、手段と
を備えるデバイス。
【請求項３０】
実行されたとき、ビデオ処理デバイスの1つまたは複数のプロセッサに、
1つまたは複数のエレメンタリストリームを備えるプログラムのための第1の記述子から、複数のプロファイル、ティア、レベル(PTL)シンタックス要素セットを取得することであって、前記複数のPTLシンタックス要素セットの各それぞれのPTLシンタックス要素セットが、それぞれのPTL情報を指定するシンタックス要素を備える、取得することと、
前記第1の記述子または前記プログラムのための第2の記述子から、複数の動作点シンタックス要素セットを取得することであって、前記第1の記述子および前記第2の記述子がMPEG-2トランスポートストリームのプログラムマップテーブルにあり、前記複数の動作点シンタックス要素セットの各それぞれの動作点シンタックス要素セットが複数の動作点のそれぞれの動作点を指定する、取得することと、
前記複数の動作点シンタックス要素セットの各それぞれの動作点シンタックス要素セットについて、前記それぞれの動作点シンタックス要素セットによって指定された前記それぞれの動作点の各それぞれのレイヤに関して、前記それぞれのレイヤに関するそれぞれのシンタックス要素に基づいて、前記PTLシンタックス要素セットのうちのどれが、前記それぞれの動作点の前記それぞれのレイヤに割り当てられた前記PTL情報を指定するかを判断することであって、前記それぞれのシンタックス要素が前記それぞれの動作点シンタックス要素セットにあり、前記それぞれの動作点が複数のレイヤを有する、判断することと
を行わせる命令を記憶したコンピュータ可読データ記憶媒体。
【請求項３１】
実行されたとき、ビデオ処理デバイスの1つまたは複数のプロセッサに、
1つまたは複数のエレメンタリストリームを備えるプログラムのための第1の記述子において、複数のプロファイル、ティア、レベル(PTL)シンタックス要素セットをシグナリングすることであって、前記複数のPTLシンタックス要素セットの各それぞれのPTLシンタックス要素セットが、それぞれのPTL情報を指定するシンタックス要素を備える、シグナリングすることと、
前記第1の記述子または前記プログラムのための第2の記述子において、複数の動作点シンタックス要素セットをシグナリングすることであって、
前記第1の記述子および前記第2の記述子がMPEG-2トランスポートストリームのプログラムマップテーブルにあり、
前記複数の動作点シンタックス要素セットの各それぞれの動作点シンタックス要素セットが前記複数の動作点のそれぞれの動作点を指定し、
前記それぞれの動作点の各それぞれのレイヤについて、前記それぞれの動作点シンタックス要素セットが、前記それぞれの動作点の前記それぞれのレイヤに割り当てられたPTL情報を指定する前記複数のPTLシンタックス要素セットのそれぞれのPTLシンタックス要素セットを識別するそれぞれのシンタックス要素を含み、前記それぞれの動作点が複数のレイヤを有する、シグナリングすることと
を行わせる命令を記憶したコンピュータ可読データ記憶媒体。